(57)【要約】      （修正有）【課題】限られた床面積においてかご室の内側寸法を大きく取ることができるエレベータかご室の側壁を提供する。【解決手段】かご室の側壁を構成する側板１１のフランジ部１２ｂ、１２ｃおよび補強部材１２ｄがかご室の内側を向くように側板を配置するので、側板の平坦部分１２ａをかご床２の周縁に沿わせて配置できる。これにより、従来のエレベータかご室の側壁において活用していなかった側板の裏側のデッドスペースを、かご室内部空間を拡大するための延長空間として活用し、限られた床面積においてかご室の内側寸法を最大限に大きく取ることができる。【選択図】図１
2006219280.tif 000002
【特許請求の範囲】
【請求項１】
エレベータのかご室を構成する側壁であって、
一定な断面形状を有してその長手方向に延びるとともに、互いに隣接した状態で連結されてかご床上に固定される複数の側板を備え、
前記側板は、
前記長手方向に延びる平坦部分と、前記平坦部分の両側縁にそれぞれ曲設された左右一対のフランジ部とを有し、
上方から見たときに前記平坦部分が前記かご床の周縁に沿って延びるとともに前記フランジが前記かご室の内側に向かって延びるように配置され、
互いに隣接している前記フランジ同士を前記かご室の内側から連結手段を用いて連結することにより前記側壁を構成することを特徴とするエレベータかご室の側壁。
【請求項２】
エレベータのかご室を構成する側壁であって、
一定な断面形状を有してその長手方向に延びるとともに、互いに隣接した状態で連結されてかご床上に固定される複数の側板を備え、
前記側板は、
前記長手方向に延びる平坦部分と、前記平坦部分の両側縁にそれぞれ曲設されて前記平坦部分の一方の側面の側に突出する左右一対の突出部と、前記突出部の側縁にそれぞれ曲折されて前記突出部が突出する方向とは反対側に延びる左右一対のフランジ部とを有し、
上方から見たときに前記平坦部分が前記かご床の周縁に沿って延びるとともに前記フランジが前記かご室の外側に向かって延びるように配置され、
互いに隣接している前記フランジ同士を連結手段を用いて前記かご室の外側から連結することにより前記側壁を構成することを特徴とするエレベータかご室の側壁。
【請求項３】
前記側板は、前記平坦部分のうち前記左右一対のフランジ部が延びる側の側面に付設された補強部材をさらに有することを特徴とする請求項１または２に記載したエレベータかご室の側壁。
【請求項４】
前記側板は、前記左右一対のフランジ部が延びる側に突出するように前記平坦部分に突設された補強部分をさらに有することを特徴とする請求項１または２に記載したエレベータかご室の側壁。
【請求項５】
前記フランジおよび前記連結手段を覆うカバー部材をさらに備えることを特徴とする請求項１，３および４のいずれかに記載したエレベータかご室の側壁。
【請求項６】
前記平坦部分のうち前記かご室の内側を向く側面に付設されるとともにその両側縁が前記連結手段を覆う、前記フランジ部の長さ寸法より短い寸法の厚みを有する板状部材をさらに備えることを特徴とする請求項１，３および４のいずれかに記載したエレベータかご室の側壁。
【請求項７】
前記側板は、その長手方向が上下方向となるように配設されることを特徴とする請求項１乃至６のいずれかに記載したエレベータかご室の側壁。
【請求項８】
前記側板は、その長手方向が水平方向となるように配設されることを特徴とする請求項１乃至６のいずれかに記載したエレベータかご室の側壁。
【発明の詳細な説明】
【技術分野】
【０００１】
本発明は、エレベータかご室の側壁に関し、より詳しくは、限られた床面積内においてかご室の内側寸法を大きく取ることができるように改良する技術に関する。
【背景技術】
【０００２】
従来、エレベータのかご室は、その床面となるかご床上に出入口柱および複数の側板を立設してその側壁を形成するとともに、この側壁の上に天井を載せた構造となっている。
【０００３】
具体的に説明すると、図８（ａ）に示した従来のかご室の側壁１は、かご床２の出入口側に立設された左右一対の出入口柱３ａ，３ｂと、これらの出入口柱３ａ，３ｂおよびかご床２の周縁と平行に並ぶように配設されてかご床２から天井へと上下に延びる多数の側板４ａ〜４ｋとから形成されている（例えば、下記特許文献１を参照）。
【０００４】
このとき、各側板４ｂ〜４ｊは、図８（ｂ）に示したように、所定の幅を有して上下方向に延びる鋼板の両側縁をかご室の外側に折り曲げてフランジ５ａ，５ｂを形成するとともに、これらのフランジ５ａ，５ｂ間で延びる平坦部分５ｃの外側に補強部材５ｄを付設した構造となっている。
【０００５】
そして、互いに隣接する側板のフランジ５ａ，５ｂ同士を、かご室の外側においてボルトＢを用いて連結することにより側壁１を一体に構成している。
【０００６】
これにより、従来のかご室の側壁１は、かご室内部の壁面が平坦となっている。
【特許文献１】特開平４−３６５７８１号公報
【発明の開示】
【発明が解決しようとする課題】
【０００７】
ところで、従来のエレベータかご室の側壁においては、フランジ５ａ，５ｂおよび補強部材５ｄがかご室の外側に位置するように各側板４ｂ〜４ｊを配置しているため、各側板４ｂ〜４ｊの平坦部分５ｃは、かご床２の周縁から寸法Ｌ１だけかご室の内側に入った位置となる。
【０００８】
これにより、かご床２の寸法を幅Ｗ１×奥行きＤ１とし、かご室の内側寸法を幅Ｗ２×奥行きＤ２とし、かご床２の前縁から出入口柱３ａ，３ｂまでの距離をＤ３とすると、
幅      Ｗ２＝Ｗ１−２×Ｌ１          （１）
奥行き  Ｄ２＝Ｄ１−Ｄ３−Ｌ１        （２）
となる。
【０００９】
すなわち、従来のエレベータかご室の側壁においては、各側板４ｂ〜４ｊのフランジ５ａ，５ｂおよび補強部材５ｄがかご室の外側に配置されているため、寸法Ｌ１の値が大きく、かご床２の寸法に対してかご室の内側寸法が小さくなってしまう。
【００１０】
したがって、例えば高層マンション等において自転車等の長尺物をエレベータに乗せて居住階に運ぼうとするときに、かご室の内側寸法が不足して不便をきたすことがあった。
【００１１】
そこで本発明の目的は、上述した従来技術が有する問題点を解消し、限られた床面積においてかご室の内側寸法を最大限に大きく取ることができるエレベータかご室の側壁を提供することにある。
【課題を解決するための手段】
【００１２】
上記の課題を解決するための請求項１に記載した手段は、
エレベータのかご室を構成する側壁であって、
一定な断面形状を有してその長手方向に延びるとともに、互いに隣接した状態で連結されてかご床上に固定される複数の側板を備え、
前記側板は、
前記長手方向に延びる平坦部分と、前記平坦部分の両側縁にそれぞれ曲設された左右一対のフランジ部とを有し、
上方から見たときに前記平坦部分が前記かご床の周縁に沿って延びるとともに前記フランジが前記かご室の内側に向かって延びるように配置され、
互いに隣接している前記フランジ同士を前記かご室の内側から連結手段を用いて連結することにより前記側壁を構成することを特徴としている。
【００１３】
すなわち、請求項１に記載したエレベータかご室の側壁においては、側壁を構成する側板のフランジ部がかご室の内側に向かって延びるように側板を配置するので、側板の平坦部分をかご床の周縁の直近においてこれらの周縁に沿わせて配置できることになり、かご室の少なくとも一部分の内側寸法を最大限に大きく取ることができる。
【００１４】
これにより、従来のエレベータかご室の側壁において活用できなかった側板の裏側のデッドスペースを、かご室内部空間を拡大するための延長空間として活用できるから、限られた床面積においてかご室の内側寸法を最大限に大きく取ることができる。
【００１５】
できる。
【００１６】
また、上記の課題を解決するための請求項２に記載した手段は、
エレベータのかご室を構成する側壁であって、
一定な断面形状を有してその長手方向に延びるとともに、互いに隣接した状態で連結されてかご床上に固定される複数の側板を備え、
前記側板は、
前記長手方向に延びる平坦部分と、前記平坦部分の両側縁にそれぞれ曲設されて前記平坦部分の一方の側面の側に突出する左右一対の突出部と、前記突出部の側縁にそれぞれ曲折されて前記突出部が突出する方向とは反対側に延びる左右一対のフランジ部とを有し、
上方から見たときに前記平坦部分が前記かご床の周縁に沿って延びるとともに前記フランジが前記かご室の外側に向かって延びるように配置され、
互いに隣接している前記フランジ同士を連結手段を用いて前記かご室の外側から連結することにより前記側壁を構成することを特徴としている。
【００１７】
すなわち、請求項２に記載したエレベータかご室の側壁においては、側板の平坦部分の両側縁からかご室の内側に向かって突出する突出部分を設けるとともに、これらの突出部分の側縁からかご室の外側に延びるようにそれぞれフランジ部を設けたので、側板の平坦部分をかご床の周縁の直近においてこれらの周縁に沿わせて配置することができる。
【００１８】
これにより、従来のエレベータかご室の側壁において活用できなかった側板の裏側のデッドスペースを、かご室内部空間を拡大するための延長空間として活用できるから、限られた床面積においてかご室の内側寸法を最大限に大きく取ることができる。
【００１９】
また、請求項３に記載した手段は、請求項１または２に記載したエレベータかご室の側壁において、前記側板が、前記平坦部分のうち前記左右一対のフランジ部が延びる側の側面に付設された補強部材をさらに有することを特徴とする。
【００２０】
すなわち、請求項３に記載したエレベータかご室の側壁は、かご室の内側に位置する補強部材を有するので、かご室の少なくとも一部分の内側寸法を大きく取りながら、側板の強度を高く取ることができる。
【００２１】
なお、かご室の内部に向かって開口する補強部材を用いれば、この補強部材の内側空間を収納のために用いることができる。
【００２２】
また、請求項４に記載した手段は、請求項１または２に記載したエレベータかご室の側壁において、前記側板が、前記左右一対のフランジ部が延びる側に突出するように前記平坦部分に突設された補強部分さらに有することを特徴とする。
【００２３】
すなわち、請求項４に記載したエレベータかご室の側壁は、側板の平坦部分に補強部分を一体に形成するものであるから、別個の補強部材が不要となり、側板の材料費および製造コストを削減しつつ、側板の重量を減少させてかご室の重量を減少させ、エレベータシステム全体の性能を向上させることができる。
【００２４】
また、請求項５に記載した手段は、請求項１，３および４のいずれかに記載したエレベータかご室の側壁において、前記フランジおよび前記連結手段を覆うカバー部材をさらに設けたことを特徴とする。
【００２５】
すなわち、請求項５に記載したエレベータかご室の側壁においては、かご室の内側に向かって延びているフランジ部およびフランジ部を連結している連結手段がカバー部材によって覆われるので、かご室内の乗客や荷物等がフランジ部や連結手段に接触することを防止できる。
【００２６】
また、請求項６に記載した手段は、請求項１，３および４のいずれかに記載したエレベータかご室の側壁において、前記左右一対のフランジ部の間で延びるように前記平坦部分に貼設されるとともにその端部が前記連結手段を覆う、前記フランジ部の長さ寸法より短い寸法の厚みを有する板状部材をさらに設けたことを特徴とする。
【００２７】
すなわち、請求項６に記載したエレベータかご室の側壁においては、側板に貼設した板状部材によって側板の平坦部分を補強しあるいは装飾することができるとともに、かご室内の乗客や荷物等が連結手段に接触することを防止できる。
【００２８】
この場合、前述した請求項１に記載の側壁におけるかご室の内側寸法に比較すると板状部材の厚み寸法だけ小さくなるものの、従来のかご室よりも大きな内側寸法のかご室を確保することができる。
【００２９】
また、側板の平坦部分とフランジ部の先端との間の空間に、補強用あるいは装飾用の板状部材を収納するから、側板の全体厚みを増加させることなくこれらの部材を装着することができる。
【００３０】
また、請求項７に記載した手段は、請求項１乃至６のいずれかに記載したエレベータかご室の側壁において、その長手方向が上下方向となるように前記側板を配設したことを特徴とする。
【００３１】
同様に、請求項８に記載した手段は、請求項１乃至６のいずれかに記載したエレベータかご室の側壁において、その長手方向が水平方向となるように前記側板を配設したことを特徴とする。
【００３２】
すなわち、請求項７および８に記載したエレベータかご室の側壁のいずれにおいても、かご室の少なくとも一部分の内側寸法を大きく取ることができる。
【００３３】
このとき、側板が上下方向に延びるように配設すれば自転車等の長尺物をかご室に収納するときに便利であり、側板が水平方向に延びるように配設すればテーブル等の長尺物をかご室に収納するときに便利である。
【００３４】
さらに、水平方向に延びる側板によりかご室の左右の側壁を構成し、上下方向に延びる側板によりかご室の奥側の側壁を構成することもできる。
【発明の効果】
【００３５】
本発明によれば、従来のエレベータかご室の側壁において活用していなかった側板の裏側のデッドスペースを、かご室内部空間を拡大するための延長空間として活用できるから、限られた床面積においてかご室の内側寸法を最大限に大きく取ることができる。
【００３６】
また、側板の平坦部分に補強部分を一体に突設することによって別個の補強部材を不要とすることができるから、側板の材料費および製造コストを削減しつつ、側板の重量を減少させてかご室の重量を減少させ、エレベータシステム全体の性能を向上させることができる。
【００３７】
また、かご室の内側にフランジ部や補強部材、補強部分を露出させる構造であるから、斬新で意匠性に富むかご室を提供することができる。
【００３８】
また、側板の平坦部分とフランジ部の先端との間の空間に、補強用板状部材あるいは表面装飾部材等を収納できるから、側板の全体厚みを増加させることなくこれらの部材を装着することができる。
【発明を実施するための最良の形態】
【００３９】
以下、図１乃至図７を参照し、本発明に係るエレベータかご室の側壁の各実施形態について詳細に説明する。なお、以下の説明においては、同一の部分には同一の符号を用いて重複した説明を省略する。
【００４０】
第１実施形態
まず最初に図１および図２を参照し、第１実施形態のエレベータかご室の側壁について詳細に説明する。
【００４１】
図１（ａ）に示した本第１実施形態の側壁１０は、かご床２の出入口側（図示下側）に立設された左右一対の出入口柱３ａ，３ｂと、これらの出入口柱３ａ，３ｂに連結される側板４ａ，４ｋ、およびかご床２の各周縁２ａ，２ｂ，２ｃに沿って並ぶように配設されてかご床２から天井へと上下方向に延びる多数の側板１１ａ〜１１ｉとから構成されている。
【００４２】
このとき、側板１１ａ〜１１ｉは、図１（ｂ）に示したように、例えば帯状鋼板をプレス加工して一定な断面形状で上下方向に長く延びるように成形したもので、所定の幅を有して上下方向に延びる平坦部分１２ａと、この平坦部分１２ａの両側縁にそれぞれ曲設された左右一対のフランジ部１２ｂ，１２ｃと、平坦部分１２ａのうちフランジ部１２ｂ，１２ｃが延びる側の側面に固設された断面形状オーム（Ω）形の補強部材１２ｄとをそれぞれ有している。
【００４３】
また、側板１１ａ〜１１ｉは、上方から見たときにその平坦部分１２ａがかご床２の各周縁２ａ，２ｂ，２ｃの直近において各周縁２ａ，２ｂ，２ｃに沿って延びるとともに、左右一対のフランジ部１２ｂ，１２ｃおよび補強部材１２ｄがかご室の内側を向くように配置されている。
【００４４】
そして、側板１１ａ〜１１ｉは、互いに隣接するフランジ部１２ｂ，１２ｃ同士をかご室の内側からボルト（連結手段）Ｂを用いて締結することにより一体に連結され、かつ出入口柱３ａ，３ｂ側の側板４ａ，４ｋに連結されて側壁１０を構成している。
【００４５】
さらに、一体に締結されて互いに密着しているフランジ部１２ｂ，１２ｃには、断面形状がコ字型の樹脂製あるいはゴム製のカバー部材１３が被着され、かご室内の乗客あるいは荷物がフランジ部１２ｂ，１２ｃおよびボルトＢに接触しないようになっている。
【００４６】
すなわち、本第１実施形態のエレベータかご室の側壁１０は、フランジ部１２ｂ，１２ｃおよび補強部材１２ｄがかご室の内側を向くように各側板１１ａ〜１１ｉをそれぞれ配置する構造となっている。
【００４７】
これにより、図８に示した従来の側壁１のように各側板のフランジ部１２ｂ，１２ｃおよび補強部材１２ｄをかご床２の各周縁２ａ，２ｂ，２ｃの側に配置する必要がないから、各側板の平坦部分１２ａをかご床２の各周縁２ａ，２ｂ，２ｃの直近において各周縁２ａ，２ｂ，２ｃに沿って延びるように配置することができる。
【００４８】
したがって、かご床２の各周縁２ａ，２ｂ，２ｃと各側板１１ａ〜１１ｉの平坦部分１２ａとの間の距離はＬ２となり、図８に示した従来の側壁１における同一部分の寸法Ｌ１に比較して大幅に小さくすることができる。
【００４９】
なお、Ｌ２の値は、各側板１１ａ〜１１ｉをかご床２上に固定するために必要な寸法であり、ゼロに近づけることができる。
【００５０】
これに伴い、かご室の内側寸法を各側板１１ａ〜１１ｉの平坦部分１２ａ同士の間、および平坦部分１２ａと出入口柱３ａ，３ｂ間で測定すると、その幅Ｗ３および奥行きＤ４は、
幅      Ｗ３＝Ｗ１−２×Ｌ２
＝Ｗ２＋２（Ｌ１−Ｌ２）  （３）
奥行き  Ｄ４＝Ｄ１−Ｄ３−Ｌ２
＝Ｄ２＋（Ｌ１−Ｌ２）    （４）
となり、Ｌ１の値に対してＬ２の値が小さくなった分だけ大きくなる。
【００５１】
これにより、例えば自転車等の長尺物をエレベータに載せて運ぶときには、その前端あるいは後端をカバー部材１３と補強部材１２ｄとの間の隙間に位置合わせすることにより、かご室の内部に容易に収納することができる。
【００５２】
また、フランジ部１２ｂ，１２ｃにはカバー部材が被着され、かつ補強部材１２ｄのかご室内側の部分が平坦となっているので、長尺物が傷付くこともない。
【００５３】
第２実施形態
次に図２を参照し、第２実施形態のエレベータかご室の側壁について説明すると、この側壁２０は、上述した第１実施形態の側壁１０における補強部材１２ｄを断面形状コ字形の補強部材１４に置き換えたものである。
【００５４】
このとき、この補強部材１４はかご室の内側に向かって開放しているので、その左右一対の側壁１４ａ，１４ｂ間の隙間に長尺物の先端を収納することができる。
【００５５】
これにより、補強部材１４が位置する部分の空間も有効に活用することができる。
【００５６】
なお、各側壁１４ａ，１４ｂの先端にカバー部材を被着して、かご室内の乗客および荷物が接触しないようにすることもできる。
【００５７】
第３実施形態
次に図３を参照し、第３実施形態のエレベータかご室の側壁について説明すると、この側壁３０は、上述した第１実施形態の側壁１０における補強部材１２ｄを補強ビード（補強部分）に置き換えたものである。
【００５８】
すなわち、側壁３０を構成する各側板は、帯状鋼板をプレス加工して一定な断面形状で上下方向に長く延びるように成形したもので、所定の幅を有して上下方向に延びる平坦部分１５ａと、この平坦部分１５ａの両側縁にそれぞれ曲設された左右一対のフランジ部１５ｂ，１５ｃと、これらのフランジ部１５ｂ，１５ｃが延びる側に突出するように平坦部分１５ａの中央部分に突設された補強ビード１５ｄとを有している。
【００５９】
これにより、例えば自転車等の長尺物をエレベータに載せて運ぶときには、その前端あるいは後端をカバー部材１３と補強ビード１５ｄとの間の隙間に位置合わせすることにより、かご室の内部に容易に収納することができる。
【００６０】
第４実施形態
次に図４を参照し、第４実施形態のエレベータかご室の側壁について説明すると、この側壁４０は、上述した第３実施形態の側壁３０における単一の補強ビード１５ｄを２つの補強ビードに置き換えたものである。
【００６１】
すなわち、側壁４０を構成する各側板は、帯状鋼板をプレス加工して一定な断面形状で上下方向に長く延びるように成形したもので、所定の幅を有して上下方向に延びる平坦部分１６ａと、この平坦部分１６ａの両側縁にそれぞれ曲設された左右一対のフランジ部１６ｂ，１６ｃと、これらのフランジ部１６ｂ，１６ｃが延びる側に突出するように平坦部分１６ａに突設された左右一対の補強ビード１６ｄ，１６ｅとを有している。
【００６２】
これにより、各側板の平坦部分１６ａの強度は、左右一対の補強ビード１６ｄ，１６ｅによって補強されてさらに向上する。
【００６３】
また、例えば自転車等の長尺物をエレベータに載せて運ぶときには、その前端あるいは後端を左右一対の補強ビード１６ｄ，１６ｅ間の隙間に位置合わせすることにより、かご室の内部に容易に収納することができる。
【００６４】
第５実施形態
次に図５を参照し、第５実施形態のエレベータかご室の側壁について説明すると、この側壁５０は、上述した第１実施形態の側壁１０における補強部材１２ｄを板状部材に置き換えたものである。
【００６５】
すなわち、側壁４０を構成する各側板の平坦部分１２ａには、左右一対のフランジ部１２ｂ，１２ｃの間で延びるとともに、フランジ部１２ｂ，１２ｃの長さ寸法より短い寸法の厚みを有する樹脂製の板状部材１７が接着剤を用いて貼設されている。
【００６６】
また、板状部材１７の各端部には、フランジ部を連結しているボルトＢを収納するための収納凹部１７ａ，１７ｂが凹設されている。
【００６７】
これにより、各側板の平坦部分１２ａを板状部材１７によって補強できるとともに、かご室内の乗客や荷物等がボルトＢに接触することを防止できる。
【００６８】
また、かご室の内側寸法（Ｄ４等）は、第１実施形態の側壁１０に比較すると板状部材１７の厚み寸法分だけ小さくなるが、従来のかご室の内側寸法Ｗ２，Ｄ２（図８）よりは大きくすることができる。
【００６９】
さらに、側板の平坦部分１２ａとフランジ部１２ｂ，１２ｃの先端との間の空間に、補強用あるいは表面装飾用の板状部材１７を収納できるから、側板の全体厚みを増加させることなくこれらの部材を装着することができる。
【００７０】
第６実施形態
次に図６を参照し、第６実施形態のエレベータかご室の側壁について説明すると、この側壁６０を構成する各側板の形状は、上述した第１〜第５実施形態の側壁におけるそれとは大きく異なっている。
【００７１】
すなわち、本第６実施形態の側壁６０を構成する側板１８は、帯状鋼板をプレス加工して一定な断面形状で上下方向に長く延びるように成形したもので、所定の幅を有して上下方向に延びる平坦部分１８ａと、この平坦部分１８ａの両側縁にそれぞれ曲設されてその一方の側面の側に突出する左右一対の突出部１８ｂ，１８ｃと、これらの突出部１８ｂ，１８ｃの側縁にそれぞれ曲折されてこれらの突出部１８ｂ，１８ｃが突出する方向とは反対側に延びる左右一対のフランジ部１８ｄ，１８ｅとを有している。
【００７２】
そして、この側板１８は、上方から見たときにその平坦部分１８ａがかご床２の各周縁２ａ，２ｂ，２ｃに沿って延びるとともに、左右一対のフランジ部１８ｄ，１８ｅがかご室の外側に向かって延びるように配置されている。
【００７３】
また、この側板１８は、互いに隣接するフランジ部１８ｄ，１８ｅ同士をかご室の外側からボルトＢを用いて締結することにより一体に連結されて側壁６０を構成している。
【００７４】
これにより、左右一対のフランジ部１８ｄ，１８ｅがかご室の外側に向かって延びてはいるものの、左右一対の突出部１８ｂ，１８ｃを設けたことにより、平坦部分１８ａをかご床２の各周縁２ａ，２ｂ，２ｃに沿わせて配置することができる。
【００７５】
したがって、本第６実施形態においても、前述した第１実施形態と同様に、幅Ｗ３および奥行きＤ４のかご室内側寸法を確保することができる。
【００７６】
また、左右一対の突出部１８ｂ，１８ｃを設けたことにより、各側板１８の強度を高めることができる。
【００７７】
第７実施形態
次に図７を参照し、第７実施形態のエレベータかご室の側壁について説明すると、この側壁７０は、上述した第６実施形態の側壁６０における側板１８の断面形状を変更したものである。
【００７８】
すなわち、側壁７０を構成する各側板１９は、帯状鋼板をプレス加工して一定な断面形状で上下方向に長く延びるように成形したもので、所定の幅を有して上下方向に延びる平坦部分１９ａと、この平坦部分１９ａの両側縁にそれぞれ曲設されてその一方の側面の側に突出する左右一対の突出部１９ｂ，１９ｃと、これらの突出部１９ｂ，１９ｃの側縁にそれぞれ曲折されてこれらの突出部２９ｂ，２９ｃが突出する方向とは反対側に延びる左右一対のフランジ部１９ｄ，１９ｅと、左右一対の突出部１９ｂ，１９ｃが延びる側に突出するように平坦部分１９ａに突設された補強ビード１９ｆとを有している。
【００７９】
したがって、補強ビード１９ｆにより側板１９の平坦部分１９ａの強度を高くしながら、かご室の内側寸法を大きくすることができる。
【００８０】
また、例えば自転車等の長尺物をエレベータに載せて運ぶときに、その前端あるいは後端を左右一対の突出部１９ｂ，１９ｃと補強ビード１９ｆとの間の隙間に位置合わせすることにより、かご室の内部に容易に収納することができる。
【００８１】
以上、本発明に係るエレベータかご室の各実施形態について詳しく説明したが、本発明は上述した実施形態によって限定されるものではなく、種々の変更が可能であることは言うまでもない。
【００８２】
例えば、上述した実施形態においては、いずれも側壁を構成する側板が上下方向に細長く延びるように配置されているが、かご床の隅角部に立設した柱の間で水平方向に延びるように各側板を配置できることは言うまでもない。
【図面の簡単な説明】
【００８３】
【図１】第１実施形態のエレベータかご室の側壁を示す平面断面図（ａ）および要部拡大断面図。
【図２】第２実施形態のエレベータかご室の側壁を示す要部拡大断面図。
【図３】第３実施形態のエレベータかご室の側壁を示す要部拡大断面図。
【図４】第４実施形態のエレベータかご室の側壁を示す要部拡大断面図。
【図５】第５実施形態のエレベータかご室の側壁を示す要部拡大断面図。
【図６】第６実施形態のエレベータかご室の側壁を示す要部拡大断面図。
【図７】第７実施形態のエレベータかご室の側壁を示す要部拡大断面図。
【図８】従来のエレベータかご室の側壁を示す平面断面図（ａ）および要部拡大断面図。
【符号の説明】
【００８４】
１  従来の側壁
２  かご床
２ａ，２ｂ，２ｃ  周縁
３ａ，３ｂ  出入口柱
４  側板
１０  第１実施形態の側壁
１１  側板
１２ａ  平坦部分
１２ｂ，１２ｃ  フランジ部
１２ｄ  補強部材
１３  カバー部材
１４  補強部材
１５ａ  平坦部分
１５ｂ，１５ｃ  フランジ部
１５ｄ  補強部分
１６ａ  平坦部分
１６ｂ，１６ｃ  フランジ部
１６ｄ，１６ｅ  補強部分
１７  板状部材
１８ａ  平坦部分
１８ｂ，１８ｃ  突出部分
１８ｄ，１８ｅ  フランジ部
１９ａ  平坦部分
１９ｂ，１９ｃ  突出部分
１９ｄ，１９ｅ  フランジ部
１９ｆ  補強部分
２０  第２実施形態の側壁
３０  第３実施形態の側壁
４０  第４実施形態の側壁
５０  第５実施形態の側壁
６０  第６実施形態の側壁
７０  第７実施形態の側壁
【図１】
2006219280.tif 000003
【図２】
2006219280.tif 000004
【図３】
2006219280.tif 000005
【図４】
2006219280.tif 000006
【図５】
2006219280.tif 000007
【図６】
2006219280.tif 000008
【図７】
2006219280.tif 000009
【図８】
2006219280.tif 000010